(57)【要約】【課題】開口絞りの口径を精度良く設定することが可能であっても、径方向で小型化することが可能な絞り装置を提供する。【解決手段】この絞り装置は、光路用の開口Ｍが形成される環状の地板１２ａと、地板１２ａに回動可能に取り付けられる複数枚の絞り羽根１３と、地板１２ａに対して絞り羽根１３を回動させるための羽根回動部材と、地板１２ａに対して複数枚の絞り羽根１３のそれぞれを絞り羽根１３の回動方向の一方側に付勢する付勢部材１６とを備えている。羽根回動部材には、地板１２ａに対して絞り羽根１３を回動させて開口絞りの口径を変化させるためのカム溝１４ａが形成され、絞り羽根１３には、カム溝１４ａに係合するカム突起１９が固定され、絞り羽根１３には、絞り羽根１３の表面から立ち上がるとともに付勢部材１６が係合する付勢用突起２０が固定されている。カム突起１９は、付勢部材１６の付勢力によってカム溝１４ａの側面に接触している。【選択図】図８
2019124028.tif 000002
【特許請求の範囲】
【請求項１】
開口絞りの口径を変化させる絞り装置において、
光路用の開口が形成される環状の地板と、光路の光軸の周りに配置されるとともに前記地板に回動可能に取り付けられる複数枚の絞り羽根と、前記光軸を中心とする周方向へ前記地板に対して相対回動して前記地板に対して前記絞り羽根を回動させるための環状の羽根回動部材と、前記地板に対して複数枚の前記絞り羽根のそれぞれを前記絞り羽根の回動方向の一方側に付勢する付勢部材とを備え、
前記絞り羽根および前記羽根回動部材のいずれか一方には、前記地板に対して前記絞り羽根を回動させて前記開口絞りの口径を変化させるためのカム溝が形成され、
前記絞り羽根および前記羽根回動部材のいずれか他方には、前記カム溝に係合するカム突起が形成または固定され、
前記絞り羽根には、前記絞り羽根の表面から立ち上がるとともに前記付勢部材が係合する付勢用突起が形成または固定され、
前記カム突起は、前記付勢部材の付勢力によって前記カム溝の側面に接触していることを特徴とする絞り装置。
【請求項２】
前記地板は、前記付勢部材の一部を保持するための付勢部材保持部を備え、
前記付勢部材保持部は、前記周方向における前記付勢用突起の一方側に配置されていることを特徴とする請求項１記載の絞り装置。
【請求項３】
前記付勢部材は、コイルが巻回された巻回部と、前記巻回部の一端から伸びる第１腕部と、前記巻回部の他端から伸びる第２腕部とから構成されるネジリコイルバネであり、
前記第１腕部は、前記付勢用突起に係合し、
前記付勢部材保持部は、前記巻回部の内周側に挿入される突起であることを特徴とする請求項２記載の絞り装置。
【請求項４】
前記付勢部材は、複数枚の前記絞り羽根が前記開口絞りの口径を小さくする方向へ前記絞り羽根を付勢することを特徴とする請求項１から３のいずれかに記載の絞り装置。
【請求項５】
前記絞り羽根は、前記光軸の方向である光軸方向において、前記地板の一方側に配置され、
前記地板には、前記付勢用突起が挿通される挿通穴が形成され、
前記付勢部材は、前記光軸方向において、前記地板の他方側に配置され、前記地板の他方側で前記付勢用突起に係合していることを特徴とする請求項１から３のいずれかに記載の絞り装置。
【請求項６】
前記カム突起は、前記絞り羽根に形成または固定されるとともに、前記絞り羽根の一方の表面から立ち上がり、
前記付勢用突起は、前記絞り羽根の他方の表面から立ち上がり、
前記カム突起と前記付勢用突起とは、同軸上に配置されていることを特徴とする請求項１から３のいずれかに記載の絞り装置。
【請求項７】
前記光軸を軸心とする円筒部と、前記光軸を軸心とする円環状に形成されるとともに前記円筒部の一端から前記円筒部の径方向の外側に鍔状に広がる前記地板とを有する開口形成部材を備え、
前記第２腕部は、前記円筒部に係合していることを特徴とする請求項３記載の絞り装置。
【請求項８】
請求項７に記載の絞り装置と、前記開口形成部材と一緒に前記光軸を中心にして回動する絞り駆動筒と、一端側が前記円筒部に係合しかつ他端側が前記絞り駆動筒に係合する連結部材とを備え、
前記絞り装置は、前記光軸を中心とする前記開口形成部材の回動が可能となるように前記開口形成部材を保持する保持筒を備え、
前記保持筒は、前記保持筒に対して前記羽根回動部材が前記周方向へ動かないように前記羽根回動部材の前記周方向への移動を規制した状態で前記羽根回転部材を保持していることを特徴とするレンズ鏡筒。
【発明の詳細な説明】
【技術分野】
【０００１】
本発明は、開口絞りの口径を変化させる絞り装置に関する。また、本発明は、絞り装置を備えるレンズ鏡筒に関する。
【背景技術】
【０００２】
従来、開口絞りの口径を変化させる絞り装置が知られている（たとえば、特許文献１参照）。特許文献１に記載の絞り装置は、光軸を中心にした円形状の開口部が形成される地板と、地板に回動可能に取り付けられる７枚の絞り羽根と、地板に対して光軸を中心に回動して７枚の絞り羽根を回動させる駆動リングとを備えている。地板には、絞り羽根を回動可能に支持する複数の羽根取付軸が形成されている。絞り羽根には、羽根取付軸が挿入される取付孔が形成されている。また、絞り羽根には、地板に対して絞り羽根を回動させるためのカム溝が形成され、駆動リングには、カム溝に挿入される連結軸が形成されている。【０００３】
特許文献１に記載の絞り装置では、羽根取付軸にネジリコイルバネが取り付けられている。ネジリコイルバネの一方の腕部は、地板に形成される突起部に係合し、ネジリコイルバネの他方の腕部は、絞り羽根の外周縁に係合している。ネジリコイルバネは、羽根取付軸を中心にして絞り羽根を、開口絞りの口径が大きくなる方向へ付勢している。ネジリコイルバネの付勢力によって、絞り羽根に形成されるカム溝の側面（カム面）は、駆動リングに形成される連結軸に常時接触している。そのため、この絞り装置では、駆動リングに対する絞り羽根のがたつきを防止して、開口絞りの口径を精度良く設定することが可能となっている。
【先行技術文献】
【特許文献】
【０００４】
【特許文献１】特開２０１５−２２２３９２号公報
【発明の概要】
【発明が解決しようとする課題】
【０００５】
特許文献１に記載の絞り装置では、ネジリコイルバネによって絞り羽根が付勢されているため、上述のように、駆動リングに対する絞り羽根のがたつきを防止して、開口絞りの口径を精度良く設定することが可能となっている。しかしながら、特許文献１に記載の絞り装置では、絞り羽根の回動中心となる羽根取付軸に取り付けられたネジリコイルバネの腕部が絞り羽根の外周縁に係合しているため、絞り装置の径方向において、絞り装置が大型化しやすくなる。【０００６】
そこで、本発明の課題は、開口絞りの口径を精度良く設定することが可能であっても、径方向で小型化することが可能な絞り装置を提供することにある。また、本発明の課題は、かかる絞り装置を備えるレンズ鏡筒を提供することにある。
【課題を解決するための手段】
【０００７】
上記の課題を解決するため、本発明の絞り装置は、開口絞りの口径を変化させる絞り装置において、光路用の開口が形成される環状の地板と、光路の光軸の周りに配置されるとともに地板に回動可能に取り付けられる複数枚の絞り羽根と、光軸を中心とする周方向へ地板に対して相対回動して地板に対して絞り羽根を回動させるための環状の羽根回動部材と、地板に対して複数枚の絞り羽根のそれぞれを絞り羽根の回動方向の一方側に付勢する付勢部材とを備え、絞り羽根および羽根回動部材のいずれか一方には、地板に対して絞り羽根を回動させて開口絞りの口径を変化させるためのカム溝が形成され、絞り羽根および羽根回動部材のいずれか他方には、カム溝に係合するカム突起が形成または固定され、絞り羽根には、絞り羽根の表面から立ち上がるとともに付勢部材が係合する付勢用突起が形成または固定され、カム突起は、付勢部材の付勢力によってカム溝の側面に接触していることを特徴とする。【０００８】
本発明の絞り装置は、地板に対して複数枚の絞り羽根のそれぞれを絞り羽根の回動方向の一方側に付勢する付勢部材を備えている。また、本発明では、付勢部材の付勢力によって、絞り羽根および羽根回動部材のいずれか一方に設けられたカム溝の側面に、絞り羽根および羽根回動部材のいずれか他方に設けられたカム突起が接触している。そのため、本発明では、羽根回動部材に対する絞り羽根のがたつきを防止して、開口絞りの口径を精度良く設定することが可能となる。【０００９】
また、本発明では、付勢部材が係合する付勢用突起が絞り羽根の表面から立ち上がるように絞り羽根に形成または固定されている。そのため、本発明では、特許文献１に記載の絞り装置のように絞り羽根の回動中心に取り付けられたネジリコイルバネの腕部が絞り羽根の外周縁に係合している場合と比較して、絞り羽根に対して付勢部材の付勢力が作用する箇所を絞り装置の径方向の内側とすることが可能になる。したがって、本発明では、特許文献１に記載の絞り装置と比較して、絞り装置の径方向の内側に付勢部材を配置することが可能になり、その結果、径方向で絞り装置を小型化することが可能になる。【００１０】
本発明において、地板は、付勢部材の一部を保持するための付勢部材保持部を備え、付勢部材保持部は、周方向における付勢用突起の一方側に配置されていることが好ましい。このように構成すると、付勢部材保持部と付勢用突起との間では、付勢部材が周方向に沿って配置される。したがって、絞り装置の径方向のより内側に付勢部材を配置することが可能になり、その結果、径方向で絞り装置をより小型化することが可能になる。【００１１】
本発明において、付勢部材は、コイルが巻回された巻回部と、巻回部の一端から伸びる第１腕部と、巻回部の他端から伸びる第２腕部とから構成されるネジリコイルバネであり、第１腕部は、付勢用突起に係合し、付勢部材保持部は、巻回部の内周側に挿入される突起であることが好ましい。このように構成すると、付勢部材であるネジリコイルバネを付勢部材保持部に容易に取り付けることが可能になる。【００１２】
本発明において、付勢部材は、複数枚の絞り羽根が開口絞りの口径を小さくする方向へ絞り羽根を付勢することが好ましい。このように構成すると、開口絞りの口径が最も小さくなる位置へ複数枚の絞り羽根を回動させたときの、開口絞りの口径をより小さくすることが可能になる。すなわち、複数枚の絞り羽根が開口絞りの口径を大きくする方向へ付勢部材によって絞り羽根が付勢されている場合には、開口絞りの口径が最も小さくなる位置へ絞り羽根を回動させたときの、開口絞りの口径が、カム溝とカム突起との間の隙間分大きくなるが、このように構成すると、開口絞りの口径が最も小さくなる位置へ絞り羽根を回動させたときの、開口絞りの口径が、カム溝とカム突起との間の隙間分小さくなる。したがって、開口絞りの口径が最も小さくなる位置へ絞り羽根を回動させたときの、開口絞りの口径をより小さくすることが可能になる。【００１３】
本発明において、絞り羽根は、光軸の方向である光軸方向において、地板の一方側に配置され、地板には、付勢用突起が挿通される挿通穴が形成され、付勢部材は、光軸方向において、地板の他方側に配置され、地板の他方側で付勢用突起に係合していることが好ましい。このように構成すると、絞り装置の径方向のより内側に付勢部材を配置しても、絞り羽根と付勢部材との干渉を防止することが可能になる。したがって、絞り装置の径方向のより内側に付勢部材を配置することが可能になり、その結果、径方向で絞り装置をより小型化することが可能になる。【００１４】
本発明において、カム突起は、絞り羽根に形成または固定されるとともに、絞り羽根の一方の表面から立ち上がり、付勢用突起は、絞り羽根の他方の表面から立ち上がり、カム突起と付勢用突起とは、同軸上に配置されていることが好ましい。このように構成すると、付勢用突起に作用する付勢部材の付勢力によって、カム突起がカム溝の側面に接触していても、薄い平板状に形成される絞り羽根のねじれを抑制することが可能になる。【００１５】
本発明において、絞り装置は、光軸を軸心とする円筒部と、光軸を軸心とする円環状に形成されるとともに円筒部の一端から円筒部の径方向の外側に鍔状に広がる地板とを有する開口形成部材を備え、第２腕部は、円筒部に係合していることが好ましい。このように構成すると、付勢部材を付勢部材保持部と円筒部とによって安定した状態で保持することが可能になる。また、このように構成すると、絞り装置の径方向において、地板よりも内側に配置される円筒部に第２腕部が係合しているため、絞り装置の径方向のより内側に付勢部材を配置することが可能になる。したがって、径方向で絞り装置をより小型化することが可能になる。【００１６】
本発明の絞り装置は、たとえば、開口形成部材と一緒に光軸を中心にして回動する絞り駆動筒と、一端側が円筒部に係合しかつ他端側が絞り駆動筒に係合する連結部材とを備えるレンズ鏡筒に用いることができる。このレンズ鏡筒では、たとえば、絞り装置は、光軸を中心とする開口形成部材の回動が可能となるように開口形成部材を保持する保持筒を備え、保持筒は、保持筒に対して羽根回動部材が周方向へ動かないように羽根回動部材の周方向への移動を規制した状態で羽根回動部材を保持している。【００１７】
このレンズ鏡筒では、開口絞りの口径を精度良く設定することが可能であっても、径方向で絞り装置を小型化することが可能になる。また、このレンズ鏡筒では、径方向で絞り装置を小型化することが可能になるため、径方向でレンズ鏡筒を小型化することが可能になる。さらに、このレンズ鏡筒では、連結部材の一端側を保持するための円筒部に、ネジリコイルバネの第２腕部が係合しているため、第２腕部を係合させるための係合部を別途設ける必要がない。したがって、このレンズ鏡筒では、レンズ鏡筒の構成を簡素化することが可能になる。
【発明の効果】
【００１８】
以上のように、本発明の絞り装置では、開口絞りの口径を精度良く設定することが可能であっても、径方向で絞り装置を小型化することが可能になる。また、本発明のレンズ鏡筒では、径方向でレンズ鏡筒を小型化することが可能になるとともにレンズ鏡筒の構成を簡素化することが可能になる。
【図面の簡単な説明】
【００１９】
【図１】本発明の実施の形態にかかるレンズ鏡筒が使用される撮像装置の概略図である。
【図２】（Ａ）は、図１に示すレンズ鏡筒の一部の斜視図であり、（Ｂ）は、（Ａ）に示すレンズ鏡筒の一部の分解斜視図である。
【図３】図２に示す絞り装置の斜視図である。
【図４】図３に示す絞り装置の分解斜視図である。
【図５】図３に示す絞り装置の構成を説明するための正面図である。
【図６】図４に示す開口形成部材に絞り羽根が取り付けられた状態の斜視図である。
【図７】図６に示す開口形成部材に絞り羽根が取り付けられた状態を反対側から示す斜視図である。
【図８】図５のＥ部の構成を説明するための拡大図である。
【図９】図５に示す絞り羽根の間に形成される隙間の周辺部分の拡大図である。
【図１０】本発明の他の実施の形態にかかる付勢部材保持部の構成を説明するための断面図である。
【発明を実施するための形態】
【００２０】
以下、図面を参照しながら、本発明の実施の形態を説明する。
【００２１】
（レンズ鏡筒の概略構成）
図１は、本発明の実施の形態にかかるレンズ鏡筒１が使用される撮像装置３の概略図である。図２（Ａ）は、図１に示すレンズ鏡筒１の一部の斜視図であり、図２（Ｂ）は、図２（Ａ）に示すレンズ鏡筒１の一部の分解斜視図である。
【００２２】
本発明のレンズ鏡筒１は、複数のレンズ２を備えており、撮像装置３で使用される。レンズ鏡筒１は、たとえば、交換レンズであり、撮像装置３の装置本体４に着脱可能に取り付けられている。あるいは、レンズ鏡筒１は、装置本体４に固定されており、装置本体４と一体化されている。装置本体４は、Ｃ−ＭＯＳイメージセンサ等の撮像素子（図示省略）を備えている。レンズ鏡筒１は、全体として略円柱状に形成されており、略円柱状に形成されるレンズ鏡筒１の軸心と、レンズ２の光軸（すなわち、光路の光軸）Ｌとが一致している。
【００２３】
レンズ鏡筒１は、開口絞りの口径を変化させて撮像素子の撮像面に入射する光の量（光量）を調整する絞り装置６と、絞り装置６の一部を構成する後述の開口形成部材１２と一緒に光軸Ｌを中心にして回動する絞り駆動筒７と、一端側が開口形成部材１２に係合しかつ他端側が絞り駆動筒７に係合する連結部材８と、絞り装置６および絞り駆動筒７を保持するレンズ鏡筒本体９とを備えている。なお、図１では、絞り駆動筒７および連結部材８の図示を省略している。
【００２４】
レンズ鏡筒本体９は、装置本体４に固定されているか、あるいは、装置本体４に着脱可能に取り付けられている。絞り駆動筒７は、円筒状に形成されている。絞り駆動筒７の軸心は、光軸Ｌと一致している。絞り駆動筒７は、レンズ鏡筒本体９に対して光軸Ｌを中心とする絞り駆動筒７の回動が可能となるようにレンズ鏡筒本体９に保持されている。本形態では、レンズ鏡筒本体９に対して絞り駆動筒７を手動で回動させる。ただし、レンズ鏡筒１は、絞り駆動筒７を自動で回動させる回動機構を備えていても良い。
【００２５】
（絞り装置の構成、および、レンズ鏡筒の具体的な構成）
図３は、図２に示す絞り装置６の斜視図である。図４は、図３に示す絞り装置６の分解斜視図である。図５は、図３に示す絞り装置６の構成を説明するための正面図である。図６は、図４に示す開口形成部材１２に絞り羽根１３が取り付けられた状態の斜視図である。図７は、図６に示す開口形成部材１２に絞り羽根１３が取り付けられた状態を反対側から示す斜視図である。図８は、図５のＥ部の構成を説明するための拡大図である。図９は、図５に示す絞り羽根１３の間に形成される隙間Ｓの周辺部分の拡大図である。
【００２６】
なお、以下の説明では、光軸Ｌの方向（光軸方向）の一方側（図２等のＺ１方向側）を「前」側とし、その反対側（光軸方向の他方側）である図２等のＺ２方向側を「後（後ろ）」側とする。また、以下の説明では、光軸Ｌを中心とする周方向を「周方向」とし、光軸Ｌに直交する方向を「径方向」とする。
【００２７】
絞り装置６は、扁平な略円筒状に形成されている。絞り装置６の軸心は、光軸Ｌと一致している。絞り装置６は、レンズ鏡筒本体９に固定される保持筒１１を備えている。また、絞り装置６は、光路用の開口Ｍが形成される環状の地板１２ａを有する開口形成部材１２と、光軸Ｌの周りに配置されるとともに地板１２ａに回動可能に取り付けられる複数枚の絞り羽根１３と、周方向へ地板１２ａに対して相対回動して地板１２ａに対して絞り羽根１３を回動させるための環状の羽根回動部材１４とを備えている。
【００２８】
また、絞り装置６は、周方向で隣り合う絞り羽根１３の間の隙間Ｓ（図５参照）からの光の漏れを防止する複数枚の漏光防止羽根１５を備えている。具体的には、絞り装置６は、絞り羽根１３と同枚数の漏光防止羽根１５を備えている。漏光防止羽根１５は、地板１２ａに回動可能に取り付けられている。本形態の絞り装置６は、１１枚の絞り羽根１３と、１１枚の漏光防止羽根１５とを備えている。なお、図４、図８では、絞り羽根１３および漏光防止羽根１５が１枚のみ図示され、図５では、絞り羽根１３が２枚のみ図示されるとともに漏光防止羽根１５が１枚のみ図示されている。また、図６では、絞り羽根１３が１枚のみ図示されている。
【００２９】
さらに、絞り装置６は、地板１２ａに対して複数枚の絞り羽根１３のそれぞれを絞り羽根１３の回動方向の一方側に付勢する付勢部材１６を備えている。具体的には、絞り装置６は、絞り羽根１３と同数の付勢部材１６を備えている。すなわち、絞り装置６は、１１個の付勢部材１６を備えている。本形態の付勢部材１６は、コイルが巻回された巻回部１６ａと、巻回部１６ａの一端から伸びる第１腕部１６ｂと、巻回部１６ａの他端から伸びる第２腕部１６ｃとから構成されるネジリコイルバネ（トーションバネ）である。したがって、以下では、付勢部材１６を「ネジリコイルバネ１６」とする。なお、図４、図５、図７、図８では、ネジリコイルバネ１６が１個のみ図示されている。
【００３０】
羽根回動部材１４は、平板状かつ円環状に形成されている。羽根回動部材１４は、羽根回動部材１４の厚さ方向と前後方向とが一致するように配置されるとともに、羽根回動部材１４の軸心と光軸Ｌとが一致するように配置されている。羽根回動部材１４には、地板１２ａに対して絞り羽根１３を回動させて開口絞りの口径を変化させるためのカム溝１４ａが形成されている。具体的には、羽根回動部材１４には、絞り羽根１３と同数のカム溝１４ａが形成されている。すなわち、１１個のカム溝１４ａが羽根回動部材１４に形成されている。カム溝１４ａは、前後方向で羽根回転部材１４を貫通している。また、１１個のカム溝１４ａは、周方向に一定のピッチで形成されている。羽根回動部材１４の外周側の１箇所には、径方向の外側に突出する凸部１４ｂが形成されている。
【００３１】
絞り羽根１３は、遮光性を有する遮光材料で形成されている。また、絞り羽根１３は、薄い平板状に形成されている。絞り羽根１３は、絞り羽根１３の厚さ方向と前後方向とが一致するように配置されている。絞り羽根１３は、羽根回動部材１４の後ろ側に配置されている。絞り羽根１３の基端部には、地板１２ａに対する絞り羽根１３の回動中心となる回動中心突起１８と、カム溝１４ａに係合するカム突起１９と、ネジリコイルバネ１６が係合する付勢用突起２０とが固定されている。回動中心突起１８、カム突起１９および付勢用突起２０は、円柱状に形成されている。
【００３２】
回動中心突起１８、カム突起１９および付勢用突起２０は、絞り羽根１３の表面から立ち上がっている。具体的には、カム突起１９は、絞り羽根１３の一方の表面から立ち上がり、回動中心突起１８および付勢用突起２０は、絞り羽根１３の他方の表面から立ち上がっている。本形態では、カム突起１９は、絞り羽根１３の前面から前側に向かって立ち上がり、回動中心突起１８および付勢用突起２０は、絞り羽根１３の後面から後ろ側に向かって立ち上がっている。すなわち、カム突起１９の後端部、回動中心突起１８の前端部および付勢用突起２０の前端部が絞り羽根１３に固定されている。
【００３３】
回動中心突起１８と付勢用突起２０とカム突起１９とは、絞り羽根１３の基端から先端に向かってこの順番に配置されている。カム突起１９は、カム溝１４ａに挿入されており、カム溝１４ａに嵌っている。円柱状に形成されるカム突起１９の外径は、カム溝１４ａの幅よりも小さくなっている。付勢用突起２０の長さは、回動中心突起１８の長さよりも長くなっている。本形態では、回動中心突起１８、カム突起１９および付勢用突起２０は、絞り羽根１３にカシメ固定されている。なお、回動中心突起１８、カム突起１９および付勢用突起２０は、絞り羽根１３と一体で形成されていても良い。
【００３４】
漏光防止羽根１５は、遮光性を有する遮光材料で形成されている。また、漏光防止羽根１５は、薄い平板状に形成されている。漏光防止羽根１５は、漏光防止羽根１５の厚さ方向と前後方向とが一致するように配置されている。漏光防止羽根１５は、前後方向において羽根回動部材１４と絞り羽根１３との間に配置されている。漏光防止羽根１５の基端部には、地板１２ａに対する漏光防止羽根１５の回動中心となる回動中心突起２１が固定されている。回動中心突起２１は、円柱状に形成されている。回動中心突起２１は、漏光防止羽根１５の後面から後ろ側に向かって立ち上がっている。本形態では、回動中心突起２１は、漏光防止羽根１５にカシメ固定されている。なお、回動中心突起２１は、漏光防止羽根１５と一体で形成されていても良い。
【００３５】
また、漏光防止羽根１５には、地板１２ａに対して漏光防止羽根１５を回動させるためのカム溝１５ａが形成されている。カム溝１５ａは、回動中心突起２１よりも漏光防止羽根１５の先端側に形成されている。カム溝１５ａは、前後方向で漏光防止羽根１５を貫通している。カム溝１５ａには、カム突起１９が挿通されている。
【００３６】
開口形成部材１２は、上述の地板１２ａと、円筒部１２ｂとから構成されている。円筒部１２ｂは、光軸Ｌを軸心とする円筒状に形成されている。地板１２ａは、光軸Ｌを軸心とする円環状に形成されており、開口Ｍは、円形状となっている。また、地板１２ａは、円筒部１２ｂの一端（具体的には、円筒部１２ｂの前端）から径方向（すなわち、円筒部１２ｂの径方向）の外側に鍔状に広がっている。すなわち、開口形成部材１２は、鍔付きの円筒状に形成されている。地板１２ａは、平板状に形成されており、地板１２ａの厚さ方向は、前後方向と一致している。
【００３７】
地板１２ａは、１１枚の絞り羽根１３の後ろ側に配置されている。すなわち、１１枚の絞り羽根１３は、地板１２ａの前側に配置されている。地板１２ａの外周側部分には、回動中心突起１８が挿入される挿入穴１２ｃと、回動中心突起２１が挿入される挿入穴１２ｄとが形成されている。本形態では、地板１２ａに、１１個の挿入穴１２ｃと１１個の挿入穴１２ｄとが形成されている。１１個の挿入穴１２ｃは、周方向に一定のピッチで形成され、１１個の挿入穴１２ｄも、周方向に一定のピッチで形成されている。挿入穴１２ｃ、１２ｄは、前後方向で地板１２ａを貫通している。径方向における光軸Ｌと挿入穴１２ｃの中心との距離と、径方向における光軸Ｌと挿入穴１２ｄとの距離とは等しくなっている。挿入穴１２ｃ、１２ｄは、丸穴状に形成されている。回動中心突起１８は、挿入穴１２ｃに回動可能に支持され、回動中心突起２１は、挿入穴１２ｄに回動可能に支持されている。
【００３８】
また、地板１２ａの外周側部分には、付勢用突起２０が挿通される挿通穴１２ｅが形成されている。本形態では、地板１２ａに１１個の挿通穴１２ｅが形成されている。１１個の挿通穴１２ｅは、周方向に一定のピッチで形成されている。挿通穴１２ｅは、地板１２ａを前後方向で貫通している。また、挿通穴１２ｅは、挿入穴１２ｃを曲率中心とする円弧状に形成されている。挿通穴１２ｅは、周方向において挿入穴１２ｃと挿入穴１２ｄとの間に配置されている。付勢用突起２０の先端面は、地板１２ａの後面よりも後ろ側に配置されている（図７参照）。
【００３９】
地板１２ａの後面には、ネジリコイルバネ１６の一部を保持するためのバネ保持部１２ｆが形成されている（図７参照）。バネ保持部１２ｆは、地板１２ａの後面から後ろ側に向かって突出する扁平な円筒状の突起である。本形態では、地板１２ａの後面に１１個のバネ保持部１２ｆが形成されている。１１個のバネ保持部１２ｆは、周方向に一定のピッチで形成されている。バネ保持部１２ｆは、ネジリコイルバネ１６の巻回部１６ａの内周側に挿通されている。バネ保持部１２ｆの前後方向の高さは、巻回部１６ａの前後方向の幅よりも高くなっている。本形態のバネ保持部１２ｆは、付勢部材保持部である。なお、図５、図７、図８では、バネ保持部１２ｆが１個のみ図示されている。
【００４０】
図７に示すように、バネ保持部１２ｆは、径方向で挿入穴１２ｄと隣り合うように、挿入穴１２ｄよりも径方向の内側に形成されている。すなわち、バネ保持部１２ｆは、回動中心突起１８とずれた位置に配置されている。上述のように、挿通穴１２ｅは、周方向において挿入穴１２ｃと挿入穴１２ｄとの間に配置されているため、径方向で挿入穴１２ｄと隣り合うように配置されるバネ保持部１２ｆと、挿通穴１２ｅに挿通される付勢用突起２０とは、周方向で隣り合うように配置されている。すなわち、バネ保持部１２ｆは、周方向における付勢用突起２０の一方側に配置されている。
【００４１】
円筒部１２ｂには、円柱状の連結部材８の一端側が係合している。具体的には、連結部材８の一端側が円筒部１２ｂに固定されている。また、円筒部１２ｂには、３個の連結部材８の一端側が固定されている。３個の連結部材８は、円筒部１２ｂの外周面から径方向の外側へ突出している。また、３個の連結部材８は、光軸Ｌを中心にして等角度ピッチで配置されている。なお、連結部材８は、図２に示すように、段付き軸２５と、段付き軸２５が挿通される円筒状の２個の円筒部材２６と、段付き軸２５に２個の円筒部材２６を固定するためのネジ２７とを備えている。
【００４２】
ネジリコイルバネ１６は、上述のように、巻回部１６ａと第１腕部１６ｂと第２腕部１６ｃとから構成されている。第１腕部１６ｂと第２腕部１６ｃとは、巻回部１６ａから互いに異なる方向に伸びている。第１腕部１６ｂの先端部は、わずかに折れ曲がっている。第２腕部１６ｃの先端部は、円形状に巻かれている。上述のように、巻回部１６ａには、バネ保持部１２ｆが挿通されており、ネジリコイルバネ１６は、地板１２ａの後ろ側に配置されている。
【００４３】
第１腕部１６ｂは、付勢用突起２０に係合している。すなわち、ネジリコイルバネ１６は、地板１２ａの後ろ側で付勢用突起２０に係合している。具体的には、第１腕部１６ｂの先端部は、図７に示すように、地板１２ａの後面よりも後ろ側に突出する付勢用突起２０の先端部の外周面に径方向の外側から所定の接触圧で接触している。第２腕部１６ｃは、開口形成部材１２の円筒部１２ｂに係合している。具体的には、第２腕部１６ｃの先端部は、円筒部１２ｂの外周面に径方向の外側から所定の接触圧で接触している。ネジリコイルバネ１６は、円筒部１２ｂとバネ保持部１２ｆとによって、開口形成部材１２に保持されている。
【００４４】
保持筒１１は、前端側に鍔部を有する鍔付きの円筒状に形成されている。保持筒１１の軸心は、光軸Ｌと一致している。保持筒１１の内周側には、開口形成部材１２と絞り羽根１３と羽根回動部材１４と漏光防止羽根１５とネジリコイルバネ１６とが配置されている。保持筒１１の前端部の内周面には、スナップリング２９が取り付けられている。このスナップリング２９によって、開口形成部材１２、絞り羽根１３、羽根回動部材１４、漏光防止羽根１５およびネジリコイルバネ１６の、保持筒１１の内周側からの抜けが防止されている。
【００４５】
保持筒１１は、光軸Ｌを中心とする開口形成部材１２の回動が可能となるように開口形成部材１２を保持している。保持筒１１には、連結部材８が挿通される挿通穴１１ａが形成されている。挿通穴１１ａは、保持筒１１を径方向で貫通している。また、挿通穴１１ａは、周方向を長手方向とする長穴である。挿通穴１１ａは、周方向に一定のピッチで３箇所に形成されている。保持筒１１の内周側には、前後方向に間隔をあけた状態で地板１２ａの後面に対向する対向面が形成されている。この対向面によって、開口形成部材１２に保持されるネジリコイルバネ１６の開口形成部材１２からの外れが防止されている。
【００４６】
保持筒１１の前端部の内周側（すなわち、鍔部の内周側）には、羽根回動部材１４の凸部１４ｂが係合する凹部１１ｂが形成されている。凸部１４ｂは凹部１１ｂに嵌っており、羽根回動部材１４は、保持筒１１に対して周方向へ動かないようになっている。すなわち、保持筒１１は、保持筒１１に対して羽根回動部材１４が周方向へ動かないように、羽根回動部材１４の周方向への移動を規制した状態で羽根回転部材１４を保持している。
【００４７】
絞り駆動筒７の内周側には、保持筒１１の後端側部分が挿入されている。絞り駆動筒７は、光軸Ｌを中心にして保持筒１１に対して回動可能となっている。絞り駆動筒７には、連結部材８の他端側が係合している。具体的には、絞り駆動筒７には、円柱状の連結部材８の他端側が挿入される挿入穴７ａが形成されている（図２（Ｂ）参照）。挿入穴７ａは、絞り駆動筒７を径方向で貫通している。また、挿入穴７ａは、丸穴である。挿入穴７ａは、周方向に一定のピッチで３箇所に形成されている。
【００４８】
レンズ鏡筒１では、レンズ鏡筒本体９に対して絞り駆動筒７を回動させると、保持筒１１に対して開口形成部材１２が絞り駆動筒７と一緒に回動して、開口形成部材１２が羽根回動部材１４に対して回動する。開口形成部材１２が羽根回動部材１４に対して回動すると、地板１２ａに対して１１枚の絞り羽根１３が回動して、開口絞りの口径が変化する。具体的には、地板１２ａに対して１１枚の絞り羽根１３が径方向の内側に向かって回動すると、開口絞りの口径が小さくなり、地板１２ａに対して１１枚の絞り羽根１３が径方向の外側に向かって回動すると、開口絞りの口径が大きくなる。
【００４９】
また、開口形成部材１２が羽根回動部材１４に対して回動すると、地板１２ａに対して１１枚の漏光防止羽根１５が回動する。本形態では、開口絞りの口径が小さくなってくると、図５に示すように、開口Ｍにおいて、周方向で隣り合う絞り羽根１３の間に隙間Ｓが生じる。漏光防止羽根１５は、周方向で隣り合う絞り羽根１３の間に生じる隙間Ｓを前側から覆って隙間Ｓを塞ぎ、隙間Ｓからの光の漏れを防止する。
【００５０】
なお、本形態では、開口絞りの口径が小さくなってくると、図９に示すように、１枚の漏光防止羽根１５（図９の破線で示す漏光防止羽根１５）では、隙間Ｓを完全に塞ぐことができず、１枚の漏光防止羽根１５で隙間Ｓを塞ごうとしても、開口Ｍにおいて、周方向で隣り合う絞り羽根１３の間に微小隙間ΔＳ（図９の黒塗り部分）が生じる。本形態では、微小隙間ΔＳを除いた隙間Ｓの大半部分を塞ぐ漏光防止羽根１５（図９の破線で示す漏光防止羽根１５）に周方向で隣り合う漏光防止羽根１５（図９の二点鎖線で示す漏光防止羽根１５）によって微小隙間ΔＳが塞がれている。すなわち、２枚の漏光防止羽根１５によって隙間Ｓが完全に塞がれている。
【００５１】
ネジリコイルバネ１６は、径方向の内側に向かって絞り羽根１３を付勢している。すなわち、ネジリコイルバネ１６は、複数枚の絞り羽根１３が開口絞りの口径を小さくする方向に向かって絞り羽根１３を付勢している。絞り羽根１３に固定されるカム突起１９は、ネジリコイルバネ１６の付勢力によって、羽根回動部材１４のカム溝１４ａの側面（カム面）に接触している（図８参照）。具体的には、カム突起１９は、ネジリコイルバネ１６の付勢力によって、径方向におけるカム溝１４ａの内側の側面に接触している。より具体的には、カム突起１９は、ネジリコイルバネ１６の付勢力によって、開口絞りの口径が最大になる状態（図８（Ａ）参照）から開口絞りの口径が最小になる状態（図８（Ｂ）参照）まで、径方向におけるカム溝１４ａの内側の側面に常時、接触している。
【００５２】
（本形態の主な効果）
以上説明したように、開口絞りの口径を変化させる本形態の絞り装置６は、光路用の開口Ｍが形成される環状の地板１２ａと、光路の光軸Ｌの周りに配置されるとともに地板１２ａに回動可能に取り付けられる複数枚の絞り羽根１３と、光軸Ｌを中心とする周方向へ地板１２ａに対して相対回動して地板１２ａに対して絞り羽根１３を回動させるための環状の羽根回動部材１４と、地板１２ａに対して複数枚の絞り羽根１３のそれぞれを絞り羽根１３の回動方向の一方側に付勢するネジリコイルバネ（付勢部材）１６とを備えている。また、羽根回動部材１４には、地板１２ａに対して絞り羽根１３を回動させて開口絞りの口径を変化させるためのカム溝１４ａが形成され、絞り羽根１３には、カム溝１４ａに係合するカム突起１９が固定され、絞り羽根１３には、絞り羽根１３の表面から立ち上がるとともにネジリコイルバネ１６が係合する付勢用突起２０が固定されている。また、カム突起１９は、ネジリコイルバネ１６の付勢力によってカム溝１４ａの側面に接触している。
【００５３】
このように本形態では、絞り装置６は、地板１２ａに対して複数枚の絞り羽根１３のそれぞれを絞り羽根１３の回動方向の一方側に付勢するネジリコイルバネ１６を備えている。また、本形態では、ネジリコイルバネ１６の付勢力によって、羽根回動部材１４に設けられたカム溝１４ａの側面に、絞り羽根１３に設けられたカム突起１９が接触している。そのため、本形態では、羽根回動部材１４に対する絞り羽根１３のがたつきを防止して、開口絞りの口径を精度良く設定することが可能となる。
【００５４】
また、本形態では、ネジリコイルバネ１６が係合する付勢用突起２０が絞り羽根１３の表面から立ち上がるように絞り羽根１３に固定されている。そのため、本形態では、特許文献１に記載の絞り装置のように絞り羽根の回動中心に取り付けられたネジリコイルバネの腕部が絞り羽根の外周縁に係合している場合と比較して、絞り羽根１３に対してネジリコイルバネ１６の付勢力が作用する箇所を絞り装置６の径方向の内側とすることが可能になる。したがって、本形態では、特許文献１に記載の絞り装置と比較して、絞り装置６の径方向の内側にネジリコイルバネ１６を配置することが可能になり、その結果、径方向で絞り装置６を小型化することが可能になる。
【００５５】
本形態のように、地板１２ａは、ネジリコイルバネ１６の一部を保持するためのバネ保持部（付勢部材保持部）１２ｆを備え、バネ保持部１２ｆは、周方向における付勢用突起２０の一方側に配置されていることが好ましい。このようにすると、バネ保持部１２ｆと付勢用突起２０との間では、ネジリコイルバネ１６が周方向に沿って配置される。すなわち、第１腕部１６ｂが周方向に沿って配置される。したがって、絞り装置６の径方向のより内側にネジリコイルバネ１６を配置することが可能になり、その結果、径方向で絞り装置６をより小型化することが可能になる。
【００５６】
本形態のように、付勢部材１６は、コイルが巻回された巻回部１６ａと、巻回部１６ａの一端から伸びる第１腕部１６ｂと、巻回部１６ａの他端から伸びる第２腕部１６ｃとから構成されるネジリコイルバネであり、第１腕部１６ｂは、付勢用突起２０に係合し、バネ保持部１２ｆは、巻回部１６ａの内周側に挿入される突起であることが好ましい。このようにすると、付勢部材１６であるネジリコイルバネをバネ保持部１２ｆに容易に取り付けることが可能になる。
【００５７】
本形態のように、ネジリコイルバネ１６は、複数枚の絞り羽根１３が開口絞りの口径を小さくする方向へ絞り羽根１３を付勢することが好ましい。このようにすると、開口絞りの口径が最も小さくなる位置へ複数枚の絞り羽根１３を回動させたときの、開口絞りの口径をより小さくすることが可能になる。すなわち、複数枚の絞り羽根１３が開口絞りの口径を大きくする方向へネジリコイルバネ１６によって絞り羽根１３が付勢されている場合には、開口絞りの口径が最も小さくなる位置へ絞り羽根１３を回動させたときの、開口絞りの口径が、カム溝１４ａとカム突起１９との間の隙間分大きくなるが、このようにすると、開口絞りの口径が最も小さくなる位置へ絞り羽根１３を回動させたときの、開口絞りの口径が、カム溝１４ａとカム突起１９との間の隙間分小さくなる。したがって、開口絞りの口径が最も小さくなる位置へ絞り羽根１３を回動させたときの、開口絞りの口径をより小さくすることが可能になる。
【００５８】
本形態のように、絞り羽根１３は、光軸Ｌの方向である光軸方向において、地板１２ａの一方側に配置され、地板１２ａには、付勢用突起２０が挿通される挿通穴１２ｅが形成され、ネジリコイルバネ１６は、光軸方向において、地板１２ａの他方側に配置され、地板１２ａの他方側で付勢用突起２０に係合していることが好ましい。すなわち、絞り羽根１３は、地板１２ａの前側に配置され、ネジリコイルバネ１６は、地板１２ａの後ろ側に配置されて、地板１２ａの後ろ側で付勢用突起２０に係合していることが好ましい。このようにすると、絞り装置６の径方向のより内側にネジリコイルバネ１６を配置しても、絞り羽根１３とネジリコイルバネ１６との干渉を防止することが可能になる。したがって、絞り装置６の径方向のより内側にネジリコイルバネ１６を配置することが可能になり、その結果、径方向で絞り装置６をより小型化することが可能になる。
【００５９】
本形態のように、絞り装置６は、光軸Ｌを軸心とする円筒部１２ｂと、光軸Ｌを軸心とする円環状に形成されるとともに円筒部１２ｂの一端から円筒部１２ｂの径方向の外側に鍔状に広がる地板１２ａとを有する開口形成部材１２を備え、第２腕部１６ｃは、円筒部１２ｂに係合していることが好ましい。このようにすると、ネジリコイルバネ１６をバネ保持部１２ｆと円筒部１２ｂとによって安定した状態で保持することが可能になる。また、このようにすると、絞り装置６の径方向において、地板１２ａよりも内側に配置される円筒部１２ｂに第２腕部１６ｃが係合しているため、絞り装置６の径方向のより内側にネジリコイルバネ１６を配置することが可能になる。したがって、径方向で絞り装置６をより小型化することが可能になる。
【００６０】
本形態のように、レンズ鏡筒１は、開口形成部材１２と一緒に光軸を中心にして回動する絞り駆動筒７と、一端側が円筒部１２ｂに係合しかつ他端側が絞り駆動筒７に係合する連結部材８とを備え、絞り装置６は、光軸Ｌを中心とする開口形成部材１２の回動が可能となるように開口形成部材１２を保持する保持筒１１を備え、保持筒１１は、保持筒１１に対して羽根回動部材１４が周方向へ動かないように羽根回動部材１４の周方向への移動を規制した状態で羽根回動部材１４を保持していることが好ましい。この場合には、径方向で絞り装置６を小型化することが可能になるため、径方向でレンズ鏡筒１を小型化することが可能になる。また、このレンズ鏡筒１では、連結部材８の一端側を保持するための円筒部１２ｂに、ネジリコイルバネ１６に第２腕部１６ｃが係合しているため、第２腕部１６ｃを係合させるための係合部を別途設ける必要がない。したがって、レンズ鏡筒１の構成を簡素化することが可能になる。
【００６１】
（他の実施の形態）
上述した形態において、カム突起１９と付勢用突起２０とが同軸上に配置されていても良い。すなわち、前後方向から見たときに、カム突起１９と付勢用突起２０とが重なっていても良い。この場合には、たとえば、カム突起１９および付勢用突起２０は、絞り羽根１３と一体で形成されている。この場合には、付勢用突起２０に作用するネジリコイルバネ１６の付勢力によってカム突起１９がカム溝１４ａの側面に接触していても、薄い平板状に形成される絞り羽根１３のねじれを抑制することが可能になる。
【００６２】
上述した形態において、ネジリコイルバネ１６は、図１０に示すように、座金３０と、平板状の平板３１と、ネジ３２とによって、地板１２ａの後面に取り付けられていても良い。この場合には、座金３０は、ネジリコイルバネ１６の巻回部１６ａの内周側に配置されている。平板３１は、座金３０の後ろ側に配置されており、平板３１の前面は、座金３０の後面に接触している。座金３０および平板３１には、ネジ３２の軸部が挿通される貫通穴が形成され、地板１２ａには、ネジ３２の軸部に形成されるネジ部が螺合するネジ穴が形成されている。座金３０および平板３１は、ネジ３２によって地板１２ａに固定されている。すなわち、座金３０および平板３１は、地板１２ａと一体化している。この場合の座金３０は、付勢部材であるネジリコイルバネ１６の一部を保持するための付勢部材保持部である。
【００６３】
上述した形態において、ネジリコイルバネ１６は、径方向の外側に向かって絞り羽根１３を付勢していても良い。すなわち、ネジリコイルバネ１６は、複数枚の絞り羽根１３が開口絞りの口径を大きくする方向に向かって絞り羽根１３を付勢していても良い。この場合であっても、開口絞りの口径を精度良く設定することが可能となるとともに、径方向で絞り装置６を小型化することが可能になる。また、上述した形態において、ネジリコイルバネ１６の第１腕部１６ｂと第２腕部１６ｃとが巻回部１６ａから同方向に伸びていても良い。
【００６４】
上述した形態において、絞り羽根１３を付勢する付勢部材１６は、板バネであっても良いし、引張りコイルバネであっても良いし、圧縮コイルバネであっても良い。付勢部材１６が板バネである場合には、たとえば、地板１２ａの後面の、バネ保持部１２ｆが形成されている箇所に、板バネの一端側が固定される付勢部材保持部が形成され、板バネの他端側は付勢用突起２０に所定の接触圧で接触している。この場合には、付勢部材保持部と付勢用突起２０との間で、板バネが周方向に沿って配置される。
【００６５】
上述した形態において、絞り羽根１３の回動中心となる回動中心突起が地板１２ａに形成または固定され、この回動中心突起が挿入される挿入穴が絞り羽根１３に形成されていても良い。また、漏光防止羽根１５の回動中心となる回動中心突起が地板１２ａに形成または固定され、この回動中心突起が挿入される挿入穴が漏光防止羽根１５に形成されていても良い。
【００６６】
上述した形態において、地板１２ａに対して絞り羽根１３を回動させて開口絞りの口径を変化させるためのカム溝が絞り羽根１３に形成され、このカム溝に係合するカム突起が羽根回動部材１４に形成または固定されていても良い。また、上述した形態において、絞り駆動筒７は、レンズ鏡筒本体９に固定されていても良い。この場合には、保持筒１１を回動させることで、地板１２ａに対して１１枚の絞り羽根１３を回動させて、開口絞りの口径を変化させる。また、上述した形態において、レンズ鏡筒１は、撮像装置３以外の光学機器で使用されても良い。
【００６７】
上述した形態において、１枚の漏光防止羽根１５によって隙間Ｓを完全に塞ぐことができるように、漏光防止羽根１５の幅を広くしても良い。ただし、１枚の漏光防止羽根１５によって隙間Ｓを完全に塞ぐことができるように漏光防止羽根１５の幅を広くすると、地板１２ａの径方向の幅を広くする必要があるため、絞り装置６が径方向で大型化する。これに対して、上述した形態では、漏光防止羽根１５の幅を狭くして、地板１２ａの径方向の幅を狭くすることが可能になるため、絞り装置６を径方向で小型化することが可能になる。また、上述した形態では、２枚の漏光防止羽根１５によって隙間Ｓが完全に塞がれているが、３枚以上の漏光防止羽根１５によって隙間Ｓが完全に塞がれても良い。
【符号の説明】
【００６８】
１  レンズ鏡筒
６  絞り装置
７  絞り駆動筒
８  連結部材
１１  保持筒
１２  開口形成部材
１２ａ  地板
１２ｂ  円筒部
１２ｅ  挿通穴
１２ｆ  バネ保持部（付勢部材保持部）
１３  絞り羽根
１４  羽根回動部材
１４ａ  カム溝
１６  ネジリコイルバネ（付勢部材）
１６ａ  巻回部
１６ｂ  第１腕部
１６ｃ  第２腕部
１９  カム突起
２０  付勢用突起
３０  座金（付勢部材保持部）
Ｌ  光軸
Ｍ  開口
【図１】
2019124028.tif 000003
【図２】
2019124028.tif 000004
【図３】
2019124028.tif 000005
【図４】
2019124028.tif 000006
【図５】
2019124028.tif 000007
【図６】
2019124028.tif 000008
【図７】
2019124028.tif 000009
【図８】
2019124028.tif 000010
【図９】
2019124028.tif 000011
【図１０】
2019124028.tif 000012
【国際調査報告】
2019124028.tif 000013
2019124028.tif 000014